(57)【要約】【課題】スケールによる配管閉塞の心配がなく、かつ、正確に出湯温度を検知（検出）することができるヒートポンプ式給湯機を提供する。【解決手段】ヒートポンプユニット２にて加熱される熱交換路１１を備えたヒートポンプ式給湯機である。熱交換路１１から高温の温湯を出湯させる出湯用配管３１に、接触式の出湯温度検知器３５を沿わせた状態で取付ける。出湯温度検知器３５の外側を断熱材４２にて覆う。出湯温度検知器３５が温度検知サーミスタ３５ａである。【選択図】　　図１
2004053190.tif 000002
【特許請求の範囲】
【請求項１】
ヒートポンプユニット（２）にて加熱される熱交換路（１１）を備えたヒートポンプ式給湯機であって、上記熱交換路（１１）から高温の温湯を出湯させる出湯用配管（３１）に、接触式の出湯温度検知器（３５）を沿わせた状態で取付けたことを特徴とするヒートポンプ式給湯機。
【請求項２】
上記出湯温度検知器（３５）が、温度検知サーミスタ（３５ａ）であることを特徴とする請求項１のヒートポンプ式給湯機。
【請求項３】
上記出湯温度検知器（３５）の外側を断熱材（４２）にて覆うことを特徴とする請求項１又は請求項２のヒートポンプ式給湯機。
【請求項４】
上記出湯温度検知器（３５）の検知温度に、外気温度や上記熱交換路（１１）の温水循環量等に応じて決定される補正量を付加することを特徴とする請求項１〜請求項３のいずれかのヒートポンプ式給湯機。
【請求項５】
上記ヒートポンプユニット（２）の冷凍サイクル（Ｒ）の高圧側が超臨界圧力で運転することを特徴とする請求項１〜請求項４のいずれかのヒートポンプ式給湯機。
【発明の詳細な説明】
【０００１】
【発明の属する技術分野】
この発明は、ヒートポンプ式給湯機に関するものである。
【０００２】
【従来の技術】
ヒートポンプ式給湯機としては、一般には図４に示すように、貯湯タンク５０を有するタンクユニット５１と、冷凍サイクル５２を有する熱源ユニット（ヒートポンプユニット）５３とを備える。また、冷凍サイクル５２は、圧縮機５４と水熱交換器（ガス冷却器）５５と膨張弁５７と蒸発器５８とを順に接続して構成される。そして、タンクユニット５１は、上記貯湯タンク５０と循環路５９とを備え、この循環路５９には、水循環用ポンプ６０と熱交換路６１とが介設されている。この場合、熱交換路６１は水熱交換器５５にて構成される。なお、循環路５９において、貯湯タンク５０から熱交換路６１までを入水用配管６２にて構成し、この熱交換路６１から貯湯タンク５０までを出湯用配管６３にて構成する。
【０００３】
上記装置においては、圧縮機５４を駆動させると共に、ポンプ６０を駆動（作動）させると、貯湯タンク５０の底部に設けた取水口から貯溜水（温湯）が循環路５９に流出し、これが熱交換路６１を流通する。そのときこの温湯は水熱交換器５５によって加熱され（沸き上げられ）、湯入口から貯湯タンク５０の上部に返流される。これによって、貯湯タンク５０に高温の温湯を貯めるものである。
【０００４】
【発明が解決しようとする課題】
ところで、上記ヒートポンプ式給湯機においては、熱交換路６１にて加熱された湯の温度（出湯温度）を検知して、正常に沸き上がっているか、目標温度に沸き上がっているか等を把握する必要があった。そのため、上記出湯用配管６３の出湯温度検知用サーミスタ６４を付設していた。この場合、従来では、図５に示すように、出湯用配管６３の断熱材６５の一部を剥離し、この出湯用配管６３の露出部６７に支持部６６を設け、この支持部６６を介してサーミスタ６４の一部（先端部６４ａ）を配管内部に突入（挿入）させていた。
【０００５】
この場合、サーミスタ６４の先端部６４ａが出湯用配管６３内の湯に直接接触するので、正確に出湯温度を検知することができる。しかしながら、サーミスタ６４の一部（先端部６４ａ）を配管６３内部に挿入させるものであるので、この挿入部位をシールする必要があり、構造が複雑化すると共にコスト高となっていた。また、サーミスタ６４はその一部が配管６３内部に挿入されて温湯にさらされることになり、析出したスケール（湯あか）がサーミスタ６４に付着するおそれがあった。特に、ヒートポンプユニットの冷凍サイクルの冷媒に、超臨界冷媒（炭酸ガス）等を使用すれば、出湯温度が極めて高温となり、スケールの析出が多く、サーミスタ６４に多くのスケールが付着するおそれがあった。このような場合、サーミスタ６４の熱抵抗が大きくなり、実際よりも低い温度を検出することになる。このため、出湯温度が低いとして、出湯温度を上昇させるように、このヒートポンプ式給湯機が動作する。このため、目標とする出湯温度よりも高温の出湯温度となり、一層スケールの析出を助長することになり、最終的には配管内部を閉塞して運転が継続できなくなることもある。
【０００６】
この発明は、上記従来の欠点を解決するためになされたものであって、その目的は、スケールによる配管閉塞の心配がなく、かつ、正確に出湯温度を検知（検出）することができるヒートポンプ式給湯機を提供することにある。
【０００７】
【課題を解決するための手段】
そこで請求項１のヒートポンプ式給湯機は、ヒートポンプユニット２にて加熱される熱交換路１１を備えたヒートポンプ式給湯機であって、上記熱交換路１１から高温の温湯を出湯させる出湯用配管３１に、接触式の出湯温度検知器３５を沿わせた状態で取付けたことを特徴としている。
【０００８】
請求項１のヒートポンプ式給湯機では、出湯用配管３１に、接触式の出湯温度検知器３５を沿わせた状態で取付けたので、出湯温度検知器３５は出湯用配管３１内に突入されない。このため、出湯温度検知器３５にスケール等が付着せず、出湯温度が高温とされる場合でもこの出湯温度検知器３５は正常に機能する。しかも、この検知温度は出湯用配管３１であって、この出湯用配管３１内を流れている湯の温度（出湯温度）に近似するものである。そのため、検知した出湯温度は信頼性の高いものである。
【０００９】
請求項２のヒートポンプ式給湯機は、上記出湯温度検知器３５が、サーミスタ３５ａであることを特徴としている。
【００１０】
上記請求項２のヒートポンプ式給湯機では、上記出湯温度検知器３５が、サーミスタ３５ａであるので、出湯用配管３１の温度を安定して検知することができる。
【００１１】
請求項３のヒートポンプ式給湯機は、上記出湯温度検知器３５の外側を断熱材４２にて覆うことを特徴としている。
【００１２】
上記請求項３のヒートポンプ式給湯機では、上記出湯温度検知器３５の外側を断熱材４２にて覆っているので、この出湯温度検知器３５は外気と遮断され、外気温度に影響を大きくは受けることなく、安定して出湯温度（出湯用配管３１の温度）を検知することができる。
【００１３】
請求項４のヒートポンプ式給湯機は、上記出湯温度検知器３５の検知温度に、外気温度や上記熱交換路の温水循環量等に応じて決定される補正量を付加することを特徴としている。
【００１４】
上記請求項４のヒートポンプ式給湯機では、出湯用配管３１に、出湯温度検知器３５を沿わせた状態で取付けるものであるので、出湯用配管３１内部の湯の温度を直接検知するものではない。すなわち、検知した出湯温度は、外気温度や熱交換路１１の温水循環量等に影響をうけて、実際の出湯温度と若干相違するおそれがある。そこで、この請求項４のヒートポンプ式給湯機は、外気温度や温水循環量等に応じて、その検知した出湯温度に付加すべき補正値（補正量）を設定し、検知した出湯温度に補正値を付加することによって、実際の出湯温度を把握することができる。
【００１５】
請求項５のヒートポンプ式給湯機は、上記ヒートポンプユニット２の冷凍サイクルＲの高圧側が超臨界圧力で運転することを特徴としている。
【００１６】
上記請求項５のヒートポンプ式給湯機では、高温（例えば、９０℃程度）の湯を得ることができ、高温の湯を必要とする給湯機に最適となる。また、出湯温度が高温であることにより、特に、上記請求項１〜請求項４の効果が顕著に現れる。さらに、冷媒として炭酸ガス等の自然冷媒を使用することになり、オゾン層の破壊、環境汚染等の問題がなく、地球環境にやさしいヒートポンプ式給湯機となる。
【００１７】
【発明の実施の形態】
次に、この発明のヒートポンプ式給湯機の具体的な実施の形態について、図面を参照しつつ詳細に説明する。図１はヒートポンプ式給湯機の簡略図を示し、このヒートポンプ式給湯機は、タンクユニット１と熱源ユニット（ヒートポンプユニット）２を備え、タンクユニット１の水（温湯）をヒートポンプユニット２にて加熱するものである。
【００１８】
タンクユニット１は貯湯タンク３を備え、この貯湯タンク３に貯湯された温湯が図示省略の浴槽等に供給される。すなわち、貯湯タンク３には、その底壁に給水口５が設けられると共に、その上壁に出湯口６が設けられている。そして、給水口５から貯湯タンク３に市水（水道水）が供給され、出湯口６から高温の温湯が出湯される。また、貯湯タンク３には、その底壁に取水口７が開設されると共に、側壁（周壁）の上部に湯入口８が開設され、取水口７と湯入口８とが循環路９にて連結されている。そして、この循環路９に水循環用ポンプ１０と熱交換路１１とが介設されている。
【００１９】
また、循環路９は、タンクユニット１側の配管１２と、ヒートポンプユニット２側の配管１３と、これらの配管１２、１３を連結する接続配管１４ａ、１４ｂとからなる。さらに、配管１２は、取水口７に接続される第１部１２ａと、湯入口８に接続される第２部１２ｂとからなり、配管１３は、熱交換路１１の上流側の第１部１３ａと、熱交換路１１の下流側の第２部１３ｂとからなる。このため、配管１２の第１部１２ａと、接続配管１４ａと、配管１３の第１部１３ａとで入水用配管３０を構成し、配管１３の第２部１２ｂと、接続配管１４ｂと、配管１２の第２部１３ｂとで出湯用配管３１を構成する。
【００２０】
ヒートポンプユニット２は冷凍サイクルＲを備え、この冷凍サイクルＲは、圧縮機１５と、熱交換路１１を構成する水熱交換器（ガス冷却器）１６と、減圧機構（電動膨張弁）１７と、空気熱交換器（蒸発器）１８とを順に接続して構成される。すなわち、圧縮機１５の吐出口と、ガス冷却器１６とを冷媒通路２０にて接続し、ガス冷却器１６と電動膨張弁１７とを冷媒通路２１にて接続し、電動膨張弁１７と蒸発器１８とを冷媒通路２２にて接続し、蒸発器１８と圧縮機１５とをアキュームレータ２３が介設された冷媒通路２４にて接続している。そして、冷媒としては、例えば、超臨界で使用する炭酸ガス（ＣＯ２）を用いる。なお、水熱交換器１６としてのガス冷却器は、圧縮機１５にて圧縮された高温・高圧の超臨界冷媒を冷却する機能を有するものである。また、上記冷媒通路２０には、圧力保護スイッチとしてのＨＰＳ２５と、圧力センサ２６とが設けられている。さらに、上記蒸発器１８には、能力調整用のファン４０が付設されている。
【００２１】
また、この冷凍サイクルＲには、ガス冷却器１６から流出した高圧冷媒を冷却する液ガス熱交換器２７を備える。この場合、この液ガス熱交換器２７は、例えば、二重管構造であって、ガス冷却器１６からの冷媒が通過する第１通路２８と、蒸発器１８からの冷媒が通過する第２通路２９とを備える。すなわち、第１通路２８が、ガス冷却器１６と電動膨張弁１７とを連結する冷媒通路２１の一部を構成し、第２通路２９が、蒸発器１８と圧縮機１５とを連結する冷媒通路２４の一部を構成する。このため、第１通路２８を通過する高圧高温の冷媒と第２通路２９を通過する低圧低温の冷媒との間で熱交換され、ガス冷却器１６からの冷媒に過冷却を付与し、また、アキュームレータ２３に入る冷媒を加熱して、圧縮機１５の湿り圧縮を防止することができる。
【００２２】
そして、このヒートポンプ給湯機は、循環路９の熱交換路１１よりも上流側の温度を検知する温度センサ（入水温度検知器）３４と、循環路９の熱交換路１１よりも下流側の温度を検知する温度センサ（出湯温度検知器）３５と、蒸発器１８の温度を検知する温度センサ（空気熱交換器温度検知器）３６、圧縮機１５の吐出温度を検知する温度センサ３７と、外気温度を検知する温度センサ（外気温度検知器）３８等が設けられている。そして、これらのセンサからのデータ（検知された温度）がこのヒートポンプ給湯機の図示省略の制御部（例えば、マイクロコンピュータ等からなる）に入力され、これらのデータに基づいて、各種の制御が行われる。
【００２３】
すなわち、ヒートポンプ式給湯機の運転時には、例えば、温度センサ（吐出管サーミスタ）３７にて吐出管の温度が検知され、この吐出管温度を目標吐出管温度となるように、電動膨張弁１７の開度を調整（制御）することができる。また、温度センサ（入水サーミスタ）３４の温度が所定温度（例えば、６０℃）以上であれば、貯湯タンク３内の湯が沸き上がっているとして運転を停止させたり、また、温度センサ（外気温度サーミスタ）３８の温度に基づいて、圧縮機１５の運転周波数を制御して、湯加熱能力（沸上能力）等を調整したりすることができる。
【００２４】
次に、このヒートポンプ式給湯機の運転動作（湯沸かし運転）を説明する。圧縮機１５を駆動させると共に、水循環用ポンプ１０を駆動（作動）させる。すると、貯湯タンク３の底部に設けた取水口７から貯溜水（温湯）が流出し、これが循環路９の熱交換路１１を流通する。また、圧縮機１５からの吐出冷媒が、ガス冷却器１６、減圧機構１７、蒸発器１８とを順次経由して上記圧縮機１５へと返流する。そのため、循環路９の熱交換路１１を流通する水がガス冷却器１６である水熱交換器によって加熱され（沸き上げられ）、湯入口８から貯湯タンク３の上部に返流される。そしてこのような動作を継続して行うことによって、貯湯タンク３に温湯が貯湯されることになる。なお、現状の電力料金制度は夜間の電力料金単価が昼間に比べて低く設定されているので、この運転は、低額である深夜時間帯に行い、コストの低減を図るようにするのが好ましい。
【００２５】
ところで、出湯温度検知器３５の温度は、このヒートポンプ式給湯機の沸上温度であるので、この温度が目標出湯温度になるように、制御することになる。そして、出湯温度検知器３５としては、図２に示すように、温度検知サーミスタ３５ａが使用され、出湯用配管３１に沿わせた状態で取付けている。すなわち、出湯用配管３１（配管１３の第２部１３ｂ）にサーミスタ保持ホルダＨを設け、このサーミスタ保持ホルダＨにサーミスタ３５ａを保持させている。この場合のサーミスタ保持ホルダＨは、ホルダ本体４４と、このホルダ本体４４に付設されるバネ部材４５とを有するものである。すなわち、ホルダ本体４４は、底壁４６と、この底壁４６に連設される側壁４７とを有し、この底壁４６と側壁４７と出湯用配管３１の外周面の一部とで収納室４８が形成される。そして、バネ部材４５は、収納室４８に収納状となる第１部４５ａと、側壁４７の外面側に配置される第２部４５ｂとを有し、第１部４５ａと第２部４５ｂとで側壁４７を挟持している。
【００２６】
このため、サーミスタ３５ａを収納室４８に収納させれば、バネ部材４５の弾性力によって押圧し、このサーミスタ３５ａがこの収納室４８に圧入状となって、このサーミスタ３５ａが出湯用配管３１の外周面に接触した状態で保持される。また、サーミスタ３５ａの配線３９はサーミスタ保持ホルダＨから突出し、図２に示すように、拘束部材４１にて出湯用配管３１に拘束される。なお、拘束部材４１としては、配線３９と出湯用配管３１とを結束する紐等の線状体等から構成することができる。
【００２７】
そして、サーミスタ保持ホルダＨに保持されたサーミスタ３５ａの外側が出湯用配管３１を被覆する断熱材４２に覆われ、このサーミスタ３５ａは外気と遮断される。断熱材４２としては、このサーミスタ３５ａが外気温度に引っ張られないように、外気と遮断できればよいので、配管断熱用等に一般的に使用される発泡スチロール、発泡ウレタン、及びガラス繊維等の種々の断熱材を使用することができ、さらに、これらの断熱材を他の断熱用外皮にて被覆してもよい。なお、断熱材４２は筒状とされて外嵌される。
【００２８】
ところで、上記サーミスタ３５ａの検知温度は、出湯用配管３１の温度であり、上記のように断熱材４２にてサーミスタ３５ａが覆われていたとしても、出湯用配管３１内の湯の実際の温度と若干相違するおそれがある。そこで、このヒートポンプ式給湯機では、高精度の出湯温度を検出（検知）するために、サーミスタ３５ａの検知温度に、外気温度や熱交換路１１の温水循環量（つまり水循環用ポンプ１０のポンプ出力）等に応じて決定される補正量（補正値）を付加するようにしている。
【００２９】
すなわち、冬場等の外気温度が低い場合、出湯用配管３１は外気に熱が奪われ、この出湯用配管３１の温度が出湯用配管３１内の湯の実際の温度よりも低くなり、また、熱交換路１１の温水循環量が少ないとき（水循環用ポンプ１０のポンプ出力が小さいとき）には、温水の循環速度が遅く熱伝導性（出湯用配管３１内の湯から出湯用配管３１への熱伝導性）が低下して、同様に、出湯用配管３１の温度が出湯用配管３１内の湯の実際の温度よりも低くなる。そのため、このような場合に、検知温度に補正値を加え、温度を高くする。そして、補正値としては、サーミスタ３５ａの検知温度毎に外気温度や熱交換路１１の温水循環量等に応じて予め設定され、この設定値が上記制御部に入力され、検知温度にこの補正値を付加することによって、実際の出湯温度を算出するようにしている。
【００３０】
具体的には、例えば、サーミスタ３５ａの検知温度が８５℃であれば、表１のような補正を行う。すなわち、この表１から分るように、外気温度が低くかつポンプ出力が小さい場合には、実際の出湯温度よりも低いと思われ、大きな補正値が付加される。また、外気温度が高い場合（例えば、４０℃〜４５℃等の場合）には、出湯用配管３１は外気に熱が奪われにくいので、外気に応じた小さい補正値が付加される。さらに、ポンプ出力が大きい場合（例えば、５０〜６０ｒｐｓ等）には、温水の循環速度が早く熱伝導性に優れるので、ポンプ出力に応じた小さい補正値が付加される。このため、外気温度が高くかつポンプ出力が大きい場合には、検知温度が実際の出湯温度に近似するので、補正が行われない。
【００３１】
【表１】
2004053190.tif 000003
【００３２】
上記ヒートポンプ式給湯機によれば、冷媒として炭酸ガスを使用し、冷凍サイクルＲの高圧側が超臨界圧力で運転することとしたので、高温（例えば９０℃）の湯を沸かすことができ、高温の湯を必要とする給湯機に最適となる。また、運転中においては出湯温度が検知され、この出湯温度が目標出湯温度となるように、圧縮機１５の周波数やポンプ回転数等を制御することになる。しかも、この高温の湯が流れる出湯用配管３１内にサーミスタ３５ａが挿入されないので、このサーミスタ３５ａにスケールが付着するおそれがない。このため、サーミスタ３５ａとしてその機能を高精度に発揮することができる。また、サーミスタ３５ａは出湯用配管３１に沿った状態で取付けられているので、検知した温度が実際の出湯温度に近いものであり、信頼できるものである。そのため、出湯温度をさらに上昇させる運転（制御）が行われず、出湯用配管３１内のスケールの析出が助長されない。しかも、サーミスタ３５ａの外側は断熱材４２にて覆われており、外気温度の影響を大きく受けることなく、出湯温度（出湯用配管３１の温度）を検知することができる。すなわち、断熱材４２にて覆われなければ、外気温度に引っ張られ、検出（検知）された出湯用配管３１の温度が実際の温度と相違することになるが、断熱材４２にて覆われることによって、サーミスタ３５ａと外気とが熱的に遮断され、検知された出湯用配管３１の温度は信頼性の高いものとなる。
【００３３】
しかも、外気温度や温水循環量（ポンプ出力）等に応じて、その検知した出湯温度に付加すべき補正値（補正量）を設定し、検知した出湯温度に補正値を付加することによって、実際の出湯温度を確実に把握することができる。このため、出湯温度を必要以上に上げることを確実に回避することができ、無駄な制御がなくなって、ロスの少ない運転ができる。しかも、配管３１内のスケールの析出を確実に押えることができ、配管閉塞を回避することができる。
【００３４】
ところで、サーミスタ３５ａを保持するサーミスタ保持ホルダＨとしては、図３に示すようなものであってもよい。この場合、サーミスタ３５ａが挿入されるホルダ本体４４が、出湯用配管３１に取付けられる筒状体からなる。そして、サーミスタ３５ａがこのホルダ本体４４に挿入された状態でバネ部材４５の弾性力でこの挿入状態が維持される。従って、この場合であっても、ホルダ本体４４に挿入されるサーミスタ３５ａにて出湯用配管３１の温度を検知することができる。このように、出湯用配管３１に出湯温度検知器３５を沿わせた状態で取付ける場合には、サーミスタ３５ａが出湯用配管３１に直接的に接触せずに、ホルダ本体４４等を介して間接的に接触する場合も含むものである。なお、この図３において、断熱材４２の図示を省略しているが、この場合も図２に示すような断熱材４２にてこのサーミスタ保持ホルダＨを覆うようにするのが好ましい。
【００３５】
以上にこの発明の具体的な実施の形態について説明したが、この発明は上記形態に限定されるものではなく、この発明の範囲内で種々変更して実施することができる。例えば、サーミスタ３５ａを出湯用配管３１に取付ける場合、サーミスタ３５ａが出湯用配管３１に挿入されることなく、沿わせた状態で取付けられればよいので、線状体等にてサーミスタ３５ａを出湯用配管３１に結束するようなものであってもよい。また、出湯温度検知器３５としては、サーミスタ３５ａ以外に、熱電対、ＩＣ化温度センサ等の種々の接触式温度センサを使用することができる。さらに、検知した出湯温度を補正する場合、上記表１に示されるものに限るものではなく、使用されるサーミスタ３５ａ等の特性や、出湯用配管３１の材質、外径寸法、肉厚等に応じて変更することができる。また補正値をテーブルとして記憶して利用する他、外気温度や温水循環量に応じた補正係数を準備しておき、これらに基づいて演算により温度補正を行ってもよい。なお、冷凍サイクルＲの冷媒としては、炭酸ガス以外に、エチレンやエタン、酸化窒素等の超臨界で使用する冷媒であってもよく、さらには、超臨界で使用する冷媒ではなく、ジクロロジフルオロメタン（Ｒ−１２）やクロロジフルオロメタン（Ｒ−２２）のような冷媒を使用してもよい。さらに、冷凍サイクルＲとして、図１に示すものに限るものではなく、もちろん液ガス熱交換器２７等が省略されているものであってもよい。
【００３６】
【発明の効果】
請求項１のヒートポンプ式給湯機によれば、出湯温度検知器にスケール等が付着せず、出湯温度が高温とされる場合でもこの出湯温度検知器は正常に機能する。すなわち、出湯温度を目標出湯温度を越えて上昇させることがなく、スケールの析出を助長させず、スケールによる配管閉塞のおそれを回避することができる。しかも、この検知温度は出湯用配管であって、この出湯用配管内を流れている湯の温度（出湯温度）に近似するものである。そのため、検知した出湯温度は信頼性の高いものである。
【００３７】
請求項２のヒートポンプ式給湯機によれば、出湯用配管の温度を安定して検知することができる。このため、検知される出湯用配管の温度の信頼性に優れ、目標とする温度の湯を安定して得ることができる。
【００３８】
請求項３のヒートポンプ式給湯機によれば、出湯温度検知器は外気と遮断され、外気温度に大きな影響を受けることなく、安定して出湯温度を検知することができる。これにより、検知される出湯温度の信頼性を一層向上させることができる。
【００３９】
請求項４のヒートポンプ式給湯機によれば、外気温度や温水循環量等に応じて、その検知した出湯温度に付加すべき補正値（補正量）を設定し、検知した出湯温度に補正値を付加することによって、実際の出湯温度を安定して把握することができる。
【００４０】
請求項５のヒートポンプ式給湯機によれば、高温（例えば、９０℃程度）の湯を得ることができ、高温の湯を必要とする給湯機に最適となる。また、出湯温度が高温であることにより、特に、上記請求項１〜請求項４の効果が顕著に現れる。さらに、冷媒として炭酸ガス等の自然冷媒を使用することになり、オゾン層の破壊、環境汚染等の問題がなく、地球環境にやさしいヒートポンプ式給湯機となる。
【図面の簡単な説明】
【図１】この発明のヒートポンプ式給湯機の実施形態を示す簡略図である。
【図２】上記ヒートポンプ式給湯機の要部断面図である。
【図３】上記ヒートポンプ式給湯機の他のサーミスタ保持ホルダの断面図である。
【図４】従来のヒートポンプ式給湯機の簡略図である。
【図５】従来のヒートポンプ式給湯機の要部断面図である。
【符号の説明】
２　　ヒートポンプユニット
１１　　熱交換路
３１　　出湯用配管
３５　　出湯温度検知器
３５ａ　温度検知サーミスタ
４２　　断熱材
Ｒ　　冷凍サイクル
【図１】
2004053190.tif 000004
【図２】
2004053190.tif 000005
【図３】
2004053190.tif 000006
【図４】
2004053190.tif 000007
【図５】
2004053190.tif 000008